(57)【要約】  インターネット上の安全な情報直接移動装置において、各情報転送端末装置１０の記憶部ユニット１１が、他の情報転送端末装置２０のコーディングキー２６の一時記憶装置に用いる一つ以上の記録レジスタ１５で構成される一方、情報転送ネットワーク３０が、少なくとも一つの中央トラフィックコーディネーションユニット４０で構成され、中央トラフィックコーディネーションユニットが、マスターデコーディングキー４２ａを記憶するＭＤレジスタ４２と夫々の情報転送端末装置１０，２０に属するコーディングキー１６，２６を記憶するベースセル４３ａ，４３ｂを含む記憶ユニット４３とを有し、マスターデコーディングキー４２ａと協働するマスターコーディングキー４１ａが、中央トラフィックコーディネーションユニットに配置され、情報転送端末装置１０，２０のＣレジスタ１３ａ，２３ａには、中央トラフィックコーディネーションユニットのＭＤレジスタに記憶されたマスターデコーディングキーと協働するマスターコーディングキーが与えられることを特徴とする。【選択図】図１
2007525918.tif 000002
【特許請求の範囲】
【請求項１】
情報トラフィックに関与しながら、情報送信ネットワークとの協働に適した複数の情報転送端末装置を含み、個々の情報転送端末装置が送信部ユニットと、受信部ユニットと、装置識別信号を含むＩＤレジスタと、コーディングキーを記憶するのに適したＣレジスタと、デコーディングキーを記憶するのに適したＤレジスタとを有する記憶部ユニットとを具備し、前記Ｃレジスタが送信部ユニットに接続されたコーディングキーを含み、コーディングキーと協働デコーディングキーが個々の情報転送端末装置に配置される、インターネット上の安全な直接情報移動用の装置において、
各情報転送端末装置（１０）の記憶部ユニット（１１）が、他の情報転送端末装置（２０）のコーディングキー（２６）の一時記憶装置に用いる一つ以上の記憶レジスタ（１５）で構成される一方、情報転送ネットワーク（３０）が、少なくとも一つの中央トラフィックコーディネーションユニット（４０）で構成され、中央トラフィックコーディネーションユニット（４０）が、マスターデコーディングキー（４２ａ）を記憶するＭＤレジスタ（４２）と個々の情報転送端末装置（１０，２０）に属するコーディングキー（１６，２６）を記憶するベースセル（４３ａ，４３ｂ）を含む記憶ユニット（４３）とを有し、マスターデコーディングキー（４２ａ）と協働するマスターコーディングキー（４１ａ）が、中央トラフィックコーディネーションユニット（４０）に配置され、情報転送端末装置（１０，２０）のＣレジスタ（１３ａ，２３ａ）には、中央トラフィックコーディネーションユニット（４０）のＭＤレジスタ（４２）に記憶されたマスターデコーディングキー（４１ａ）と協働するマスターコーディングキー（４１ａ）が与えられることを特徴とする、装置。
【請求項２】
情報転送端末装置（１０，２０）の一時記憶レジスタ（１５，２５）が、送信部ユニット（１８，２８）に接続されることを特徴とする、請求項１に記載の装置。
【請求項３】
中央トラフィックコーディネーションユニット（４０）には、マスターコーディングキー（４１ａ）を記憶するＭＣレジスタ（４１）を設けることを特徴とする、請求項１又は２に記載の装置。
【請求項４】
個々の情報転送端末装置（１０，２０）の記憶部ユニット（１１，２１）において、与えられた情報転送端末装置（１０，２０）自身のコーディングキー（１６，２６）から開放された情報のみが存在することを特徴とする、請求項１〜３のいずれか一項に記載の装置。
【発明の詳細な説明】
【発明の詳細な説明】
【０００１】
本発明の対象は、情報トラフィックに関与しながら、情報送信ネットワークとの協働に適した複数の情報転送端末装置を含み、個々の情報転送端末装置が送信部ユニットと、受信部ユニットと、装置識別信号を含むＩＤレジスタと、コーディングキーを記憶するのに適したＣレジスタと、デコーディングキーを記憶するのに適したＤレジスタとを有する記憶部ユニットとを具備し、上記Ｃレジスタが送信部ユニットに接続されたコーディングキーを含み、コーディングキーと協働デコーディングキーが個々の情報転送端末装置に配置される、インターネット上の安全な直接情報移動用装置である。
【０００２】
技術の発展に伴い、音声や他の信号転送が実現可能となったので、特にコンピュータ技術と通信電子機器が広く利用されるようになった。これらの解決手段のうち、一般的な公共の通信ネットワークには利用されない特定のケース、例えば、銀行情報の転送や取引を行う場合は、転送データがコード化されるか暗号化される。
【０００３】
国際公開公報第００／４１３８３号は、２つの電話間に適切な構内交換設備が存在する場合、最初に電話をかけた後、構内交換の制御ユニットが、電話番号とインターネットアドレスを示すリモートアクセスデータベースを探すように構内交換を設定することが可能であり、そこで電話した番号を探し、識別が可能な場合は、その電話番号のインターネットアドレスを読み出し、公衆電話ネットワークよりむしろインターネットを介して電話通信を確立し、もしそのような電話番号―インターネット識別接続を識別できなかった場合は、通常の公衆電話ネットワークにて電話を通信を確立するといった手段を以ってする解決策を開示している。
【０００４】
しかしながら、この解決策の欠点は、ダイヤルした電話番号にインターネットアクセスがなかった場合、通常の公衆電話ネットワークを利用する方法で接続を行い、呼出側に常に費用が余計にかかる結果となる点である。
【０００５】
更なる欠点として、コスト低減を目的として、呼出側や被呼出側にとって、インターネットへのアクセス能力の他に、従来の電話接続も必要となり、特別に個々の構内交換を確立する必要もあり、投資費用の著しい増加と、運用コスト及び維持費用も必要となる。
【０００６】
この方法における他の著しい欠点としては、データトラフィック接続の暗号化問題がまだ未解決であり、無認可の第三者にとってのアクセスが容易であるので、そのトラフィックが盗まれる可能性があり、このことにより確立した信号転送ラインのオプショナルデータの転送への利用が不能となることが挙げられる。
【０００７】
他の手段としては、国際公開公報第９９／６２２２２号に電話トラフィックの暗号化に関する開示がある。要するに、個々のユーザには、上記ユーザを識別するために、ログイン後に毎回中央ユニットに入力するパスワードが与えられる。識別されたユーザには、上記ユーザのデータトラフィックが暗号化されている間、中央ユニットへ制限された時間内のアクセスが許可される。
【０００８】
しかしながら、この方法の最大の欠点は、暗号化データトラフィックの周期が制限され、このケースにおいて、長い接続時間を必要とする場合、機密情報の転送の可能性が排除されることである。
【０００９】
更なる欠点としては、上記の場合、ユーザ自身がシステムにログインしなければならず、与えられたパスワードを中央ユニットに送らなければならないので、他人に知られる可能性があり、他人にアクセス可能なパスワードを利用する可能性があるので、機密データトラフィックが安全なものとはならず、与えられた装置やユーザが、独占的にこのチャンネルを利用することができるか否か疑わしくなる。
【００１０】
上述を基本として、本発明の目的は、音声、信号、又はその他のデータトラフィックを実現する接続が、通常の電話と同様に確立可能なので、既知の解決手段の欠点を克服し、本発明の装置を作成することによって、全期間中、接続に必要な時間とは独立して暗号化情報トラフィックが可能となり、このような利用が常にインターネット上で存在し、常に費用が絡む公衆電話ネットワークを避けることにある。
【００１１】
本発明の背後にある考え方は、もしインターネットベース接続を確立するのに適した中央演算ユニットと端末装置に既知の解決手段とは異なった方法デコーディングキーとデコーディングキーが備えられたとしたら、インターネットベース通信が、音声、静止画像、動画、信号、又は呼出側と被呼出側との間の他のデータトラフィックが、解析不能な方法で、接続が確立してから終了するまで実現可能なで、そのシステムのユーザにとって盗まれる可能性があり、ネットワークの安全性を危険にさらす暗号化キー又はパスワードが存在せず、更に中央演算ユニット自身は、端末装置間の通信の制御と管理に適しているので、課題の解決が可能である。
【００１２】
上述の目的に従った、本発明の装置は、情報トラフィックに関与しながら、情報送信ネットワークとの協働に適した複数の情報転送端末装置を含み、個々の情報転送端末装置が送信部ユニットと、受信部ユニットと、装置識別信号を含むＩＤレジスタと、コーディングキーを記憶に適したＣレジスタと、デコーディングキーの記憶に適したＤレジスタとを有する記憶部ユニットとを具備し、上記Ｃレジスタが送信部ユニットに接続されたコーディングキーを含み、コーディングキーと協働デコーディングキーが個々の情報転送端末装置に配置される、インターネット上の安全な直接情報移動用装置において、各情報転送端末装置の記憶部ユニットが、他の情報転送端末装置のコーディングキーの一時記憶装置に用いる一つ以上の記録レジスタで構成される一方、情報転送ネットワークは、少なくとも一つの中央トラフィックコーディネーションユニットで構成され、中央トラフィックコーディネーションユニットが、デコーディングキーを記憶するマスターデコーディングキーと、個々の情報転送端末装置に属するコーディングキーを記憶するベースセルを含む記憶ユニットとを有し、マスターデコーディングキーと協働するマスターコーディングキーが、中央トラフィックコーディネーションユニットに配置され、情報転送端末装置のＣレジスタには、中央トラフィックコーディネーションユニットのＭＤレジスタに記憶されたマスターデコーディングキーと協働するマスターコーディングキーが与えられることを特徴とする、インターネット上の安全な直接情報移動用装置である。
【００１３】
更に本発明による装置の基準は、情報転送端末装置の一時記憶レジスタが、送信部ユニットに接続可能なことである。
【００１４】
本発明の装置の構成としては、中央トラフィックコーディネーションユニットにマスターコーディングキーを記憶するＭＣレジスタを設けることが可能である。
【００１５】
個々の情報転送端末装置の記憶部ユニットにおいて、本発明が他に実現することは、与えられた情報転送端末装置の独自のコーディングキーから開放された情報のみが存在するということである。
【００１６】
本発明による装置の最も優れた利点は、呼出側と被呼出側との間の接続への利用が、一般的な電話を利用した場合のように、簡単な手段で確立できるが、情報を流す費用を著しく下げ、一方ではデータの流れが、全接続時間中暗号化されるということである。
【００１７】
本発明装置が有する情報転送端末装置によって、高価な追加要素を取得、操作、又は維持必要とすることは無く、本発明を利用するに当たっての費用に良い影響を与えるといった利点があることも理解されるべきである。
【００１８】
特定の情報転送端末装置自体が、中央トラフィックコーディネーションユニットと共に、データトラフィックの暗号化を実現するので、コードや、識別子や、他のキーをユーザに供給する必要は無く、また認可の無い者にとってもアクセスが可能であるといった利点があることも理解されるべきである。本発明がもたらす他の利点としては、ユーザが、自身のコードを忘れた為にシステムに入れないといったことが起こらない利点が挙げられる。
【００１９】
更に、本発明の好適な特徴としては、２つのエンドポイント間のデータトラフィックが、中央交換を通じて発生せず、情報の流れを加速させ、システムのセキュリティーを改善し、データの解析やシステムの盗用を不可能とすることである。
【００２０】
本発明の装置の特質がもたらした欠点としては、中央演算ユニットを避けては端末装置を利用することが出来ず、端末装置のユーザが、中央演算ユニットのオペレータの許可を得てのみシステムに入ることが出来るといったことが挙げられる。
【００２１】
更に利点として、本発明の装置は、製造業者から独立して設置が可能であるので、オペレータによって、端末装置と中央演算ユニットに、キー対をアップロードすることが可能で、クローズドネットワークが作り出され、特定のユーザグループだけの通信が可能となることが挙げられる。
【００２２】
以下、本発明の装置の詳細について、図面を基に構成例に関連付けて説明する。
【００２３】
図１は、本発明の装置の一例を示すものであり、単純化を目的として、ワンコール情報転送開始端末装置１０とワンコール情報転送受信装置２０の詳細が示されている。しかし、本装置に利用する情報転送端末装置１０の数は選択が可能であることは明らかである。情報転送端末装置の数は、中央トラフィックコーディネーションユニット４０の能力によってのみ制限される。
【００２４】
情報転送端末装置１０と情報転送端末装置２０との間の接続は、中央トラフィックコーディネーションユニット４０と共に、情報送信ネットワーク３０によって確立される。情報送信ネットワーク３０は、任意の通信ネットワークとであってよく、この場合のネットワークは有線、無線、非公開、又は公共ネットワークであってよい。情報送信ネットワーク３０に関しての唯一の必須要件は、電気通信で用いられる高いデータ転送速度で信号の送信が可能な転送に適し、可能な場合は歪の無い転送であることである。
【００２５】
図１に示されるように、中央トラフィックコーディネーションユニット４０は、大容量コンピュータ装置であり、一方でＭＣレジスタ４１とＭＤレジスタ４２とを有し、他方で記憶ユニット４３を有する。ＭＣレジスタ４１には、マスターコーディングキー４１ａが存在する一方、ＭＤレジスタ４２には、マスタデコーディングキー４２ａが存在する。この固有のキー対は、情報転送端末装置１０と情報転送端末装置２０とが、中央トラフィックコーディネーションユニット４０で以って、暗号化データトラフィックを実現することを可能とする。中央トラフィックコーディネーションユニット４０の記憶ユニット４３においては、ベースセル４３ａと他のベースセル４３ｂが存在し、情報転送端末装置１０のコーディングキー１６と情報転送端末装置２０のコーディングキー２６を常駐路（レジデントウエイ）で見つけることが出来る。
【００２６】
しかし、マスターコーディングキー４１ａとそれを含むＭＣレジスタ４１は、中央トラフィックコーディネーションユニット４０に位置する必要はないことは理解されるべきである。ＭＣレジスタとマスターコーディングキー４１ａは、中央トラフィックコーディネーションユニットから離れて配置すること可能であるので、マスターコーディングキー４１ａとマスターデコーディングキー４２ａとは、同じ場所でのアクセスが不能である。
【００２７】
従来の電話機のように、情報転送端末装置１０は、キーボード、マイク、音声発信器（図示せず）を有し、これらと離れて記憶部ユニット１１と、送信部ユニット１８と、受信部ユニット１９をも有する。記憶部ユニット１１はまた、装置識別信号１２ａを記録するＩＤレジスタ１２および情報転送端末装置１０自身のデコーディングキー１７を含むＤレジスタ１４を有する。中央トラフィッククーディネーションユニット４０のマスターコーディングキー４１の一時的又は永久記憶装置に適したＣレジスタ１３はまた、一時的記憶レジスタ１５と同様ここに帰属し、接続中の実際のデータトラフィックを実施する他の端末装置、本願の場合は情報転送端末装置２０のコーディングキー２６を記憶する役割を果たす。実際には、情報転送端末装置１０の一時記憶レジスタ１５は、送信部ユニット１８に接続されるべきである。
【００２８】
実際には、情報転送端末装置２０の構成は、情報転送端末装置１０と同様である。従来の電話機と同様にまた、キーボードと、マイクと、音声送信機（図示せず）と、記憶部ユニット２１と、送信部ユニット２８と、受信部ユニット２９とを有する。ＩＤレジスタ２２と、Ｄレジスタ２４と、一時記憶レジスタ２５とは、記憶部ユニット２１に属している。ＩＤレジスタは、情報転送端末装置２０の独自の装置識別信号２２ａを記録する一方、Ｄレジスタ２４は、情報転送端末装置２０自身のデコーディングキー２７を有する。本件の場合、現在接続中の情報転送端末装置１０のコーディングキー１６は、一時記憶レジスタ２５に見つけることが可能である。そして、この場合もまた、Ｃレジスタ２３は、マスターコーディングキー４１ａの一時又は永久記憶装置に用いられる。情報転送端末装置２０の特徴から、一時記憶レジスタ２５が、送信レジスタ２８と接続されていることが好ましい。
【００２９】
本発明の作用を実現する過程において、情報転送端末装置１０は、呼出開始ユニットとして稼動し、情報転送端末装置２０は、被呼出ユニットとして稼動するが、本発明の装置はまた、複数の信号送信接続を同時に確立する、所謂会議接続を確立するのに適している。
【００３０】
情報転送端末装置１０上の情報転送端末装置２０又は情報転送端末装置２０の装置識別信号２２ａの固有識別番号、例えば電話番号にダイヤルすることによって、ログイン情報を、情報送信ネットワークを通じて、情報転送端末装置１０が、情報転送端末装置のＣレジスタ１３に位置するマスターコーディングキー４１ａを利用して、ログインメッセージをコード化するように、中央トラフィックコーディネーションユニット４０に送り、送信部ユニット１８を通じて暗号化信号を更に中央トラフィックコーディネーションユニット４０に送信する。
【００３１】
ＭＤレジスタ４２に記録されたマスターデコーディングキー４２ａを利用することによって、中央トラフィックコーディネーションユニット４０が、マスターコーディングキー４１ａでコード化されたメッセージを解析する。このメッセージの内容を基本とて、一方では、情報転送端末装置１０を自身の装置識別信号１２ａを基に識別し、他方では、情報転送端末装置２０が本当に受信装置識別信号２２ａに属するか否かをチェックし、そうである場合は、装置識別信号２２ａに従って、記憶ユニット４３のベースセル４３ｂ中に情報転送端末装置２０のコーディングキー２６を見つける。中央トラフィックコーディネーションユニット４０は、情報転送端末装置２０のコーディングキー２６を、情報転送端末装置１０のコーディングキー１６を利用して暗号化し、情報転送端末装置１０の受信部ユニット１９に送信する。情報転送端末装置１０の受信部ユニット１９は、そのデコーディングキー１７を利用して受信情報を解析することによって、情報転送端末装置のコーディングキー２６への一時的なアクセス権を得て、情報転送端末装置の一時記憶レジスタ１５に記憶する。
【００３２】
呼出開始情報転送端末装置１０は、情報送信ネットワーク３０を介して、情報転送端末装置２０への接続を試みる。情報転送端末装置１０が、装置識別信号２２ａに属する情報転送端末装置２０への接続を確立できない場合、接続は確立されない。
【００３３】
情報転送端末装置１０が、情報転送端末装置２０との接続を確立した場合、情報転送端末装置１０のコーディングキー２６で暗号化された自身の装置識別信号１２ａを情報転送端末装置２０に送信する。情報転送端末装置２０は、自身のデコーディングキー２７で解析し、中央トラフィックコーディネーションユニット４０に属するマスターコーディングキーを利用してコード化し、情報送信ネットワーク３０を介して、中央トラフィックコーディネーションユニット４０に送信し、そこから情報転送端末装置１０のコーディングキー１６を要求する。
【００３４】
情報転送端末装置２０から受信した装置識別信号１２ａに従い、中央トラフィックコーディネーションユニット４０は、記憶ユニット４３のベースセル４３ａから情報転送端末装置のコーディングキー１６を選択する。中央トラフィックコーディネーションユニット４０は、情報転送端末装置１０のコーディングキー１６を、情報転送端末装置２０のコーディングキー２６を利用して暗号化し、情報転送端末装置２０に送信する。情報転送端末装置２０は、中央トラフィックコーディネーションユニット４０により送信された暗号メッセージを受信部ユニット２９に受け取り、そのデコーディングキー２７で解析し、その結果呼出開始情報転送端末装置１０のコーディングキー１６を知ることになり、読み取り不可能な形で情報転送端末装置２０の一時記憶レジスタ２５に一時的に記憶する。
【００３５】
コーディングキー１６が、情報転送端末装置２０に送られ、コーディングキー２６が、情報転送端末装置１０に送られた後、情報転送端末装置１０は、コーディングキー２６を利用して、情報転送端末装置２０に送られる情報を暗号化することによって、情報が、送信部ユニット１８を通じて、情報転送端末装置２０にストレートに送信可能であり、情報送信ネットワーク３０を通じて、受信部ユニット２９で情報転送端末装置１０の送信部ユニット１８から送られたデータを受信し、情報転送端末装置２０のコーディングキー２６でコード化され、解析が可能であるため、情報転送端末装置２０の利用者又は情報転送端末装置２０を利用する装置にとって解読が容易になる。
【００３６】
情報転送端末装置２０は、情報転送端末装置１０から受信した情報に応答可能なので、一時記憶レジスタ２５に位置するコーディングキー１６を利用して、そこから情報送信ネットワーク３０に送信する予定のデータを暗号化し、送信部ユニット２８へ送信し、情報転送端末装置１０の受信部ユニット１９に直接進められる。受信部ユニット１９に到着したデータを情報転送端末装置１０のデコーディングキー１７で解析し、続いて、データが情報転送端末装置１０の利用者又は情報転送端末装置１０を利用する装置によって容易に解読可能である。
【００３７】
情報送信ネットワークを介した、情報転送端末装置１０と情報転送端末装置２０との間の直接の信号トラフィックは、中央トラフィックコーディネーションユニット４０が関与しない方法で実現される。情報転送端末装置１０と情報転送端末装置２０とが、一時的に互いのコーディングキー１６とコーディングキー２６とを知り、直接情報交換を可能とする。情報転送端末装置１０と情報転送端末装置２０との間のトラフィックを終了後、情報転送端末装置１０の一時記憶レジスタ１５中に位置するコーディングキー２６が削除され、情報転送端末装置２０の一時記憶レジスタ２５中に位置するコーディングキー１６にも同様なことが起こる。
【００３８】
情報転送端末装置１０の呼出終了後、情報転送端末装置２０において、Ｄレジスタ２４に位置するそのデコーディングキー２７とＣレジスタ２３に位置するマスターコーディングキー４１ａのみ残る。同時に、情報転送端末装置１０だけが、Ｄレジスタ１４に位置するそのデコーディングキー１７とＣレジスタ１３に位置するマスターコーディングキー４１ａを維持する。
【００３９】
工程の説明に基づいて、情報転送端末装置１０に送信するデータを確立する過程において、同時に双方に属する一対のコーディング／デコーディングキーを有するとしても、情報転送端末装置２０と中央トラフィックコーディネーションユニット４０が配置されない。従って、本発明の装置の利用者の内誰であってもコーディングキー１６及びデコーディングキー１７、又はコーディングキー２６とデコーディングキー２７に同時にアクセスすることは不可能である。
【００４０】
中央トラフィックコーディネーションユニット４０が、ネットワークアクセスに必要なネットワークアドレスを記憶し、管理可能であることは、情報送信ネットワーク４０の特徴で決められ、情報送信端末装置１０，２０への接続確立に必要なアドレスを送信可能であることは明らかである。
【００４１】
セキュリティーの強化のためには、中央トラフィックコーディネーションユニット４０が、マスターコーディングキー４１ａとマスターデコーディングキー４２ａとを同時に含まない問題も解決可能である。一対のコーディング／デコーディングキーの一つだけを知っていても、暗号化されたメッセージの解読は不可能である。
【図面の簡単な説明】
【００４２】
【図１】本発明の装置の配置を示す略図。
【符号の説明】
【００４３】
１０…情報転送端末装置、１１…記憶部ユニット、１２…ＩＤレジスタ、１２ａ…装置識別信号、１３…Ｃレジスタ、１４…Ｄレジスタ、１５…一時記憶レジスタ、１６…コーディングキー、１７…デコーディングキー、１８…送信部ユニット、１９…受信部ユニット、２０…情報転送端末装置、２１…記憶部ユニット、２２…ＩＤレジスタ、２２ａ…装置識別信号、２３…Ｃレジスタ、２４…Ｄレジスタ、２５…一時記憶レジスタ、２６…コーディングキー、２７…デコーディングキー、２８…送信部ユニット、２９…受信部ユニット、３０…情報送信ネットワーク、４０…中央トラフィックコーディネーションユニット、４１…ＭＣレジスタ、４１ａ…マスターコーディングキー、４２…ＭＤレジスタ、４２ａ…マスターデコーディングキー、４３…記憶ユニット、４３ａ…ベースセル、４３ｂ…ベースセル。
【図１】
2007525918.tif 000003
【手続補正書】
【提出日】平成17年9月28日(2005.9.28)
【手続補正１】
【補正対象書類名】特許請求の範囲
【補正対象項目名】全文
【補正方法】変更
【補正の内容】
【特許請求の範囲】
【請求項１】
情報トラフィックに関与しながら、情報送信ネットワークとのコラボレーションに適した複数の情報転送端末装置を含み、個々の情報転送端末装置が送信部ユニットと、受信部ユニットと、装置識別信号を含むＩＤレジスタと、コーディングキーを記憶するのに適したＣレジスタと、デコーディングキーを記憶するのに適したＤレジスタとを有する記憶部ユニットとを備え、前記Ｃレジスタが送信部ユニットに接続されたコーディングキーを含み、コーディングキーとコラボレーティングデコーディングキーが個々の情報転送端末装置に配置され、各情報転送端末装置の記憶部ユニットが、他の情報転送端末装置のコーディングキーの一時記憶装置に用いる一つ以上の記録レジスタで構成される一方、情報転送ネットワークは、少なくとも一つの中央トラフィックコーディネイティングユニットで構成され、中央トラフィックコーディネイティングユニットが、デコーディングキーを記憶するマスターデコーディングキーと、個々の情報転送端末装置に属するコーディングキーを記憶するベースセルを含む記憶ユニットとを有し、マスターデコーディングキーとコラボレーションするマスターコーディングキーが、中央トラフィックコーディネイティングユニットに配置され、情報転送端末装置のＣレジスタには、中央トラフィックコーディネイティングユニットのＭＤレジスタに記憶されたマスターデコーディングキーとコラボレーションするマスターコーディングキーが与えられることを特徴とする、インターネット上の安全な直接情報移動用の装置において、
個々の情報転送端末装置（１０，２０）の記憶部ユニット（１１，２１）において、与えられた情報転送端末装置（１０，２０）自身のコーディングキー（１６，２６）から解放された情報のみが存在する一方、情報交換に関与する他の情報転送端末装置（２０）のコーディングキー（２６）だけが一時的に第一情報転送端末装置（１０）の一時記憶レジスタ（１５）に記憶され、情報交換に関与する第一情報転送端末装置（１０）のコーディングキー（２６）だけが、一時的に他の情報転送端末装置（２０）の一時記憶レジスタ（２５）に記憶されるので、実際の情報交換期間中、第一情報転送端末装置（１０）と他の情報転送端末装置（２０）とが、互いに直接リンクされ、中央トラフィックコーディネーションユニット（４０）の調整無しで、データの流れを許可することを特徴とする、装置。
【請求項２】
情報転送端末装置（１０，２０）の一時記憶レジスタ（１５，２５）が、送信部ユニット（１８，２８）に接続されることを特徴とする、請求項１に記載の装置。
【請求項３】
中央トラフィックコーディネーションユニット（４０）には、マスターコーディングキー（４１ａ）を記憶するＭＣレジスタ（４１）を設けることを特徴とする、請求項１又は２に記載の装置。
【手続補正２】
【補正対象書類名】明細書
【補正対象項目名】全文
【補正方法】変更
【補正の内容】
【発明の詳細な説明】
【発明の詳細な説明】
【０００１】
本発明の対象は、情報トラフィックに関与しながら、情報送信ネットワークとのコラボレーションに適した複数の情報転送端末装置を含み、個々の情報転送端末装置が送信部ユニットと、受信部ユニットと、装置識別信号を含むＩＤレジスタと、コーディングキーを記憶するのに適したＣレジスタと、デコーディングキーを記憶するのに適したＤレジスタとを有する記憶部ユニットとを備え、前記Ｃレジスタが送信部ユニットに接続されたコーディングキーを含み、コーディングキーとコラボレーティングデコーディングキーが個々の情報転送端末装置に配置される、インターネット上の安全な直接情報移動用装置において、各情報転送端末装置の記憶部ユニットは、他の情報転送端末装置のコーディングキーの一時記憶装置に用いる一つ以上の記録レジスタで構成される一方、情報転送ネットワークは、少なくとも一つの中央トラフィックコーディネイティングユニットで構成され、中央トラフィックコーディネイティングユニットが、デコーディングキーを記憶するマスターデコーディングキーと、個々の情報転送端末装置に属するコーディングキーを記憶するベースセルを含む記憶ユニットとを有し、マスターデコーディングキーとコラボレーションするマスターコーディングキーが、中央トラフィックコーディネイティングユニットに配置され、情報転送端末装置のＣレジスタには、中央トラフィックコーディネイティングユニットのＭＤレジスタに記憶されたマスターデコーディングキーとコラボレーションするマスターコーディングキーが与えられることを特徴とする、インターネット上の安全な直接情報移動用装置である。
【０００２】
技術の発展に伴い、音声や他の信号転送が実現可能となったので、特にコンピュータ技術と通信電子機器が広く利用されるようになった。これらの解決手段のうち、一般的な公共の通信ネットワークには利用されない特定のケース、例えば、銀行情報の転送や取引を行う場合は、転送データがコード化されるか暗号化される。
【０００３】
国際公開公報第００／４１３８３号は、２つの電話間に適切な構内交換設備が存在する場合、最初に電話をかけた後、構内交換の制御ユニットが、電話番号とインターネットアドレスを示すリモートアクセスデータベースを探すように構内交換を設定することが可能であり、そこで電話した番号を探し、識別が可能な場合は、その電話番号のインターネットアドレスを読み出し、公衆電話ネットワークよりむしろインターネットを介して電話通信を確立し、もしそのような電話番号―インターネット識別接続を識別できなかった場合は、通常の公衆電話ネットワークにて電話を通信を確立するといった手段を以ってする解決策を開示している。
【０００４】
しかしながら、この解決策の欠点は、ダイヤルした電話番号にインターネットアクセスがなかった場合、通常の公衆電話ネットワークを利用する方法で接続を行い、呼出側に常に費用が余計にかかる結果となる点である。
【０００５】
更なる欠点として、コスト低減を目的として、呼出側や被呼出側にとって、インターネットへのアクセス能力の他に、従来の電話接続も必要となり、特別に個々の構内交換を確立する必要もあり、投資費用の著しい増加と、運用コスト及び維持費用も必要となる。
【０００６】
この方法における他の著しい欠点としては、データトラフィック接続の暗号化問題がまだ未解決であり、無認可の第三者にとってのアクセスが容易であるので、そのトラフィックが盗まれる可能性があり、このことにより確立した信号転送ラインのオプショナルデータの転送への利用が不能となることが挙げられる。
【０００７】
他の手段としては、国際公開公報第９９／６２２２２号に電話トラフィックの暗号化に関する開示がある。要するに、個々のユーザには、上記ユーザを識別するために、ログイン後に毎回中央ユニットに入力するパスワードが与えられる。識別されたユーザには、上記ユーザのデータトラフィックが暗号化されている間、中央ユニットへ制限された時間内のアクセスが許可される。
【０００８】
しかしながら、この方法の最大の欠点は、暗号化データトラフィックの周期が制限され、このケースにおいて、長い接続時間を必要とする場合、機密情報の転送の可能性が排除されることである。
【０００９】
更なる欠点としては、上記の場合、ユーザ自身がシステムにログインしなければならず、与えられたパスワードを中央ユニットに送らなければならないので、他人に知られる可能性があり、他人にアクセス可能なパスワードを利用する可能性があるので、機密データトラフィックが安全なものとはならず、与えられた装置やユーザが、独占的にこのチャンネルを利用することができるか否か疑わしくなる。
【００１０】
欧州特許第１．３２８．１０１号はまた、従来の電話システムや金融業界で知られたＴＡＮナンバーシステムに似た集中通信ネットワークを利用したコード情報転送を実現する装置を提示することが知られている。
【００１１】
この解決策の欠点は、通信のコード化にシングルキーアルゴリズムを利用し、このための全てのキーをコールコンプレックスの一箇所に保存することである。この場合、システムは、コールコンプレックスを介して弱く、ネットワーク上で発生する全コミュニケーションは、コールコンプレックス内部又は若しくはコールコンプレックス又はそのデータを有する間デコーディングが可能である。
【００１２】
本解決策の他の顕著な欠点は、暗号化コミュニケーションのデコーディングに必要な対称キーが、継続的にネットワークの要素間を移動する必要があり、従って対称キーを取得することが可能で、許可の無い者にとって暗号化メッセージを解読可能とさせる結果になるといった、システムの観点から言うと許容できない状況になることである。
【００１３】
更に、この解決策の欠点は、全コミュニケーションがコールコンプレックスを通じて起こるので、コールコンプレックスのデータ転送能力が、特定の時間と場所で起こるコミュニケーションの数に比例して、継続的な負担となることである。
【００１４】
上述を基本として、本発明の目的は、音声、信号、又はその他のデータトラフィックを実現する接続が、通常の電話と同様に確立可能なので、既知の解決手段の欠点を克服し、本発明の装置を作成することによって、全期間中、接続に必要な時間とは独立して暗号化情報トラフィックが可能となり、このような利用が常にインターネット上で存在し、常に費用が絡む公衆電話ネットワークを避けることにある。
【００１５】
本発明の背後にある考え方は、もしインターネットベース接続を確立するのに適した中央演算ユニットと端末装置に既知の解決手段とは異なった方法デコーディングキーとデコーディングキーが備えられたとしたら、インターネットベース通信が、音声、静止画像、動画、信号、又は呼出側と被呼出側との間の他のデータトラフィックが、解析不能な方法で、接続が確立してから終了するまで実現可能なで、そのシステムのユーザにとって盗まれる可能性があり、ネットワークの安全性を危険にさらす暗号化キー又はパスワードが存在せず、更に中央演算ユニット自身は、端末装置間の通信の制御と管理に適しているので、課題の解決が可能である。
【００１６】
上述の目的に従った、本発明の装置セットは、情報トラフィックに関与し、情報送信ネットワークとのコラボレーションに適した複数の情報転送端末装置を含み、個々の情報転送端末装置が送信部ユニットと、受信部ユニットと、装置識別信号を含むＩＤレジスタを有する記憶部ユニットと、コーディングキーを記憶するのに適したＣレジスタと、デコーディングキーを記憶するのに適したＤレジスタとを備え、前記Ｃレジスタが送信部ユニットに接続されたコーディングキーを含み、コーディングキーとコラボレーティングデコーディングキーが個々の情報転送端末装置に配置される、インターネット上の安全な直接情報移動用装置において、各情報転送端末装置の記憶部ユニットは、他の情報転送端末装置のコーディングキーの一時記憶装置に用いる一つ以上の記録レジスタで構成される一方、情報転送ネットワークは、少なくとも一つの中央トラフィックコーディネイティングユニットで構成され、中央トラフィックコーディネイティングユニットが、デコーディングキーを記憶するマスターデコーディングキーと、個々の情報転送端末装置に属するコーディングキーを記憶するベースセルを含む記憶ユニットとを有し、マスターデコーディングキーとコラボレーションするマスターコーディングキーが、中央トラフィックコーディネイティングユニットに配置され、情報転送端末装置のＣレジスタには、中央トラフィックコーディネイティングユニットのＭＤレジスタに記憶されたマスターデコーディングキーとコラボレーションするマスターコーディングキーが与えられることを特徴とする、インターネット上の安全な直接情報移動用装置が、各情報転送端末装置の記憶部ユニットにおいて、与えられた情報転送端末装置自身のコーディングキーから解放された情報のみが存在する一方、情報交換に関与する他の情報転送端末装置のコーディングキーだけが一時的に第一情報転送端末装置の一時記憶レジスタに記憶され、情報交換に関与する第一情報転送端末装置のコーディングキーだけが、一時的に他の情報転送端末装置の一時記憶レジスタに記憶されるので、実際の情報交換期間中、第一情報転送端末装置と他の情報転送端末装置とが、互いに直接リンクされ、中央トラフィックコーディネーションユニットの調整無しで、データの流れを許可する。
【００１７】
更に本発明による装置の基準は、情報転送端末装置の一時記憶レジスタが、送信部ユニットに接続可能なことである。
【００１８】
本発明の装置の構成としては、中央トラフィックコーディネーションユニットにマスターコーディングキーを記憶するＭＣレジスタを設けることが可能である。
【００１９】
個々の情報転送端末装置の記憶部ユニットにおいて、本発明が他に実現することは、与えられた情報転送端末装置の独自のコーディングキーから開放された情報のみが存在するということである。
【００２０】
本発明による装置の最も優れた利点は、呼出側と被呼出側との間の接続への利用が、一般的な電話を利用した場合のように、簡単な手段で確立できるが、情報を流す費用を著しく下げ、一方ではデータの流れが、全接続時間中暗号化されるということである。
【００２１】
本発明装置が有する情報転送端末装置によって、高価な追加要素を取得、操作、又は維持必要とすることは無く、本発明を利用するに当たっての費用に良い影響を与えるといった利点があることも理解されるべきである。
【００２２】
特定の情報転送端末装置自体が、中央トラフィックコーディネーションユニットと共に、データトラフィックの暗号化を実現するので、コードや、識別子や、他のキーをユーザに供給する必要は無く、また認可の無い者にとってもアクセスが可能であるといった利点があることも理解されるべきである。本発明がもたらす他の利点としては、ユーザが、自身のコードを忘れた為にシステムに入れないといったことが起こらない利点が挙げられる。
【００２３】
更に、本発明の好適な特徴としては、２つのエンドポイント間のデータトラフィックが、中央交換を通じて発生せず、情報の流れを加速させ、システムのセキュリティーを改善し、データの解析やシステムの盗用を不可能とすることである。
【００２４】
本発明の装置の特質がもたらした欠点としては、中央演算ユニットを避けては端末装置を利用することが出来ず、端末装置のユーザが、中央演算ユニットのオペレータの許可を得てのみシステムに入ることが出来るといったことが挙げられる。
【００２５】
更に利点として、本発明の装置は、製造業者から独立して設置が可能であるので、オペレータによって、端末装置と中央演算ユニットに、キー対をアップロードすることが可能で、クローズドネットワークが作り出され、特定のユーザグループだけの通信が可能となることが挙げられる。
【００２６】
以下、本発明の装置の詳細について、図面を基に構成例に関連付けて説明する。
【００２７】
図１は、本発明の装置の一例を示すものであり、単純化を目的として、ワンコール情報転送開始端末装置１０とワンコール情報転送受信装置２０の詳細が示されている。しかし、本装置に利用する情報転送端末装置１０の数は選択が可能であることは明らかである。情報転送端末装置の数は、中央トラフィックコーディネーションユニット４０の能力によってのみ制限される。
【００２８】
情報転送端末装置１０と情報転送端末装置２０との間の接続は、中央トラフィックコーディネーションユニット４０と共に、情報送信ネットワーク３０によって確立される。情報送信ネットワーク３０は、任意の通信ネットワークとであってよく、この場合のネットワークは有線、無線、非公開、又は公共ネットワークであってよい。情報送信ネットワーク３０に関しての唯一の必須要件は、電気通信で用いられる高いデータ転送速度で信号の送信が可能な転送に適し、可能な場合は歪の無い転送であることである。
【００２９】
図１に示されるように、中央トラフィックコーディネーションユニット４０は、大容量コンピュータ装置であり、一方でＭＣレジスタ４１とＭＤレジスタ４２とを有し、他方で記憶ユニット４３を有する。ＭＣレジスタ４１には、マスターコーディングキー４１ａが存在する一方、ＭＤレジスタ４２には、マスタデコーディングキー４２ａが存在する。この固有のキー対は、情報転送端末装置１０と情報転送端末装置２０とが、中央トラフィックコーディネーションユニット４０で以って、暗号化データトラフィックを実現することを可能とする。中央トラフィックコーディネーションユニット４０の記憶ユニット４３においては、ベースセル４３ａと他のベースセル４３ｂが存在し、情報転送端末装置１０のコーディングキー１６と情報転送端末装置２０のコーディングキー２６を常駐路（レジデントウエイ）で見つけることが出来る。
【００３０】
しかし、マスターコーディングキー４１ａとそれを含むＭＣレジスタ４１は、中央トラフィックコーディネーションユニット４０に位置する必要はないことは理解されるべきである。ＭＣレジスタとマスターコーディングキー４１ａは、中央トラフィックコーディネーションユニットから離れて配置すること可能であるので、マスターコーディングキー４１ａとマスターデコーディングキー４２ａとは、同じ場所でのアクセスが不能である。
【００３１】
従来の電話機のように、情報転送端末装置１０は、キーボード、マイク、音声発信器（図示せず）を有し、これらと離れて記憶部ユニット１１と、送信部ユニット１８と、受信部ユニット１９をも有する。記憶部ユニット１１はまた、装置識別信号１２ａを記録するＩＤレジスタ１２および情報転送端末装置１０自身のデコーディングキー１７を含むＤレジスタ１４を有する。中央トラフィッククーディネーションユニット４０のマスターコーディングキー４１の一時的又は永久記憶装置に適したＣレジスタ１３はまた、一時的記憶レジスタ１５と同様ここに帰属し、接続中の実際のデータトラフィックを実施する他の端末装置、本願の場合は情報転送端末装置２０のコーディングキー２６を記憶する役割を果たす。実際には、情報転送端末装置１０の一時記憶レジスタ１５は、送信部ユニット１８に接続されるべきである。
【００３２】
実際には、情報転送端末装置２０の構成は、情報転送端末装置１０と同様である。従来の電話機と同様にまた、キーボードと、マイクと、音声送信機（図示せず）と、記憶部ユニット２１と、送信部ユニット２８と、受信部ユニット２９とを有する。ＩＤレジスタ２２と、Ｄレジスタ２４と、一時記憶レジスタ２５とは、記憶部ユニット２１に属している。ＩＤレジスタは、情報転送端末装置２０の独自の装置識別信号２２ａを記録する一方、Ｄレジスタ２４は、情報転送端末装置２０自身のデコーディングキー２７を有する。本件の場合、現在接続中の情報転送端末装置１０のコーディングキー１６は、一時記憶レジスタ２５に見つけることが可能である。そして、この場合もまた、Ｃレジスタ２３は、マスターコーディングキー４１ａの一時又は永久記憶装置に用いられる。情報転送端末装置２０の特徴から、一時記憶レジスタ２５が、送信レジスタ２８と接続されていることが好ましい。
【００３３】
本発明の作用を実現する過程において、情報転送端末装置１０は、呼出開始ユニットとして稼動し、情報転送端末装置２０は、被呼出ユニットとして稼動するが、本発明の装置はまた、複数の信号送信接続を同時に確立する、所謂会議接続を確立するのに適している。
【００３４】
情報転送端末装置１０上の情報転送端末装置２０又は情報転送端末装置２０の装置識別信号２２ａの固有識別番号、例えば電話番号にダイヤルすることによって、ログイン情報を、情報送信ネットワークを通じて、情報転送端末装置１０が、情報転送端末装置のＣレジスタ１３に位置するマスターコーディングキー４１ａを利用して、ログインメッセージをコード化するように、中央トラフィックコーディネーションユニット４０に送り、送信部ユニット１８を通じて暗号化信号を更に中央トラフィックコーディネーションユニット４０に送信する。
【００３５】
ＭＤレジスタ４２に記録されたマスターデコーディングキー４２ａを利用することによって、中央トラフィックコーディネーションユニット４０が、マスターコーディングキー４１ａでコード化されたメッセージを解析する。このメッセージの内容を基本とて、一方では、情報転送端末装置１０を自身の装置識別信号１２ａを基に識別し、他方では、情報転送端末装置２０が本当に受信装置識別信号２２ａに属するか否かをチェックし、そうである場合は、装置識別信号２２ａに従って、記憶ユニット４３のベースセル４３ｂ中に情報転送端末装置２０のコーディングキー２６を見つける。中央トラフィックコーディネーションユニット４０は、情報転送端末装置２０のコーディングキー２６を、情報転送端末装置１０のコーディングキー１６を利用して暗号化し、情報転送端末装置１０の受信部ユニット１９に送信する。情報転送端末装置１０の受信部ユニット１９は、そのデコーディングキー１７を利用して受信情報を解析することによって、情報転送端末装置のコーディングキー２６への一時的なアクセス権を得て、情報転送端末装置の一時記憶レジスタ１５に記憶する。
【００３６】
呼出開始情報転送端末装置１０は、情報送信ネットワーク３０を介して、情報転送端末装置２０への接続を試みる。情報転送端末装置１０が、装置識別信号２２ａに属する情報転送端末装置２０への接続を確立できない場合、接続は確立されない。
【００３７】
情報転送端末装置１０が、情報転送端末装置２０との接続を確立した場合、情報転送端末装置１０のコーディングキー２６で暗号化された自身の装置識別信号１２ａを情報転送端末装置２０に送信する。情報転送端末装置２０は、自身のデコーディングキー２７で解析し、中央トラフィックコーディネーションユニット４０に属するマスターコーディングキーを利用してコード化し、情報送信ネットワーク３０を介して、中央トラフィックコーディネーションユニット４０に送信し、そこから情報転送端末装置１０のコーディングキー１６を要求する。
【００３８】
情報転送端末装置２０から受信した装置識別信号１２ａに従い、中央トラフィックコーディネーションユニット４０は、記憶ユニット４３のベースセル４３ａから情報転送端末装置のコーディングキー１６を選択する。中央トラフィックコーディネーションユニット４０は、情報転送端末装置１０のコーディングキー１６を、情報転送端末装置２０のコーディングキー２６を利用して暗号化し、情報転送端末装置２０に送信する。情報転送端末装置２０は、中央トラフィックコーディネーションユニット４０により送信された暗号メッセージを受信部ユニット２９に受け取り、そのデコーディングキー２７で解析し、その結果呼出開始情報転送端末装置１０のコーディングキー１６を知ることになり、読み取り不可能な形で情報転送端末装置２０の一時記憶レジスタ２５に一時的に記憶する。
【００３９】
コーディングキー１６が、情報転送端末装置２０に送られ、コーディングキー２６が、情報転送端末装置１０に送られた後、情報転送端末装置１０は、コーディングキー２６を利用して、情報転送端末装置２０に送られる情報を暗号化することによって、情報が、送信部ユニット１８を通じて、情報転送端末装置２０にストレートに送信可能であり、情報送信ネットワーク３０を通じて、受信部ユニット２９で情報転送端末装置１０の送信部ユニット１８から送られたデータを受信し、情報転送端末装置２０のコーディングキー２６でコード化され、解析が可能であるため、情報転送端末装置２０の利用者又は情報転送端末装置２０を利用する装置にとって解読が容易になる。
【００４０】
情報転送端末装置２０は、情報転送端末装置１０から受信した情報に応答可能なので、一時記憶レジスタ２５に位置するコーディングキー１６を利用して、そこから情報送信ネットワーク３０に送信する予定のデータを暗号化し、送信部ユニット２８へ送信し、情報転送端末装置１０の受信部ユニット１９に直接進められる。受信部ユニット１９に到着したデータを情報転送端末装置１０のデコーディングキー１７で解析し、続いて、データが情報転送端末装置１０の利用者又は情報転送端末装置１０を利用する装置によって容易に解読可能である。
【００４１】
情報送信ネットワークを介した、情報転送端末装置１０と情報転送端末装置２０との間の直接の信号トラフィックは、中央トラフィックコーディネーションユニット４０が関与しない方法で実現される。情報転送端末装置１０と情報転送端末装置２０とが、一時的に互いのコーディングキー１６とコーディングキー２６とを知り、直接情報交換を可能とする。情報転送端末装置１０と情報転送端末装置２０との間のトラフィックを終了後、情報転送端末装置１０の一時記憶レジスタ１５中に位置するコーディングキー２６が削除され、情報転送端末装置２０の一時記憶レジスタ２５中に位置するコーディングキー１６にも同様なことが起こる。
【００４２】
情報転送端末装置１０の呼出終了後、情報転送端末装置２０において、Ｄレジスタ２４に位置するそのデコーディングキー２７とＣレジスタ２３に位置するマスターコーディングキー４１ａのみ残る。同時に、情報転送端末装置１０だけが、Ｄレジスタ１４に位置するそのデコーディングキー１７とＣレジスタ１３に位置するマスターコーディングキー４１ａを維持する。
【００４３】
工程の説明に基づいて、情報転送端末装置１０に送信するデータを確立する過程において、同時に双方に属する一対のコーディング／デコーディングキーを有するとしても、情報転送端末装置２０と中央トラフィックコーディネーションユニット４０が配置されない。従って、本発明の装置の利用者の内誰であってもコーディングキー１６及びデコーディングキー１７、又はコーディングキー２６とデコーディングキー２７に同時にアクセスすることは不可能である。
【００４４】
中央トラフィックコーディネーションユニット４０が、ネットワークアクセスに必要なネットワークアドレスを記憶し、管理可能であることは、情報送信ネットワーク４０の特徴で決められ、情報送信端末装置１０，２０への接続確立に必要なアドレスを送信可能であることは明らかである。
【００４５】
セキュリティーの強化のためには、中央トラフィックコーディネーションユニット４０が、マスターコーディングキー４１ａとマスターデコーディングキー４２ａとを同時に含まない問題も解決可能である。一対のコーディング／デコーディングキーの一つだけを知っていても、暗号化されたメッセージの解読は不可能である。
【図面の簡単な説明】
【００４６】
【図１】本発明の装置の配置を示す略図。
【符号の説明】
【００４７】
１０…情報転送端末装置、１１…記憶部ユニット、１２…ＩＤレジスタ、１２ａ…装置識別信号、１３…Ｃレジスタ、１４…Ｄレジスタ、１５…一時記憶レジスタ、１６…コーディングキー、１７…デコーディングキー、１８…送信部ユニット、１９…受信部ユニット、２０…情報転送端末装置、２１…記憶部ユニット、２２…ＩＤレジスタ、２２ａ…装置識別信号、２３…Ｃレジスタ、２４…Ｄレジスタ、２５…一時記憶レジスタ、２６…コーディングキー、２７…デコーディングキー、２８…送信部ユニット、２９…受信部ユニット、３０…情報送信ネットワーク、４０…中央トラフィックコーディネーションユニット、４１…ＭＣレジスタ、４１ａ…マスターコーディングキー、４２…ＭＤレジスタ、４２ａ…マスターデコーディングキー、４３…記憶ユニット、４３ａ…ベースセル、４３ｂ…ベースセル。
【国際調査報告】
2007525918.tif 000004
2007525918.tif 000005